(57)【特許請求の範囲】
【請求項１】
アルモキサンと、
無機支持体上に支持されたビス（１−メチル−３−ｎ−ブチル−シクロペンタジエニル）ジルコニウムジクロリド、又はジメチルシリルビス（インデニル）ジルコニウムジクロリドのいずれかとから成る不均一形態のメタロセン触媒の存在下で、
エチレンと、ノルボルネン又はアルキル置換ノルボルネンのいずれかである環状オレフィンとを重合させ、７７重量％以上のエチレン含量及び０．１〜１０モル％の取り込まれた環状オレフィン含量、５．０未満の分子量分布、６０，０００〜３００，０００の重量平均分子量、及び６０％未満のＣＤＢＩ、及び１２０〜１３５℃の範囲内にＤＳＣにより決定されるピーク融点（Ｔｍ）を有する、リニアなエチレンコポリマーを生じた生成物を含む組成物。
【請求項２】
前記エチレンコポリマーが、６０〜１３５℃の領域にＤＳＣにより決定される溶融（メルト）分布を有する、請求項１記載の組成物。
【請求項３】
前記エチレンコポリマーが、３０％以下のＣＤＢＩを有する、請求項１又は２記載の組成物。
【請求項４】
前記環状オレフィンが、Ｃ１〜１０アルキル置換ノルボルネンである、請求項１記載の組成物。
【請求項５】
前記環状オレフィンが、ノルボルネンであり、かつ前記エチレンコポリマーが、１〜７モル％の取り込まれたノルボルネン含量を有する、請求項１記載の組成物。
【請求項６】
前記エチレンコポリマーが、０．１〜１００ｄｇ／分のＭＩを有する、請求項１〜５のいずれか１項記載の組成物。
【請求項７】
前記エチレンコポリマーが、２．０〜４．０のＭＷＤを有する、請求項１〜６のいずれか１項記載の組成物。
【請求項８】
前記エチレンコポリマーが、さらに、Ｃ３〜Ｃ２０α−オレフィン及び前記不均一メタロセン触媒の存在下でエチレン及び環状オレフィンを気相重合反応で重合させ、合わせた総量が１０モル％未満である取り込まれたα−オレフィン及び環状オレフィン含量を有する実質的にリニアなターポリマーを生じた生成物であり、前記エチレンターポリマーが６０，０００〜３００，０００の重量平均分子量を有する、請求項１〜７のいずれか１項記載の組成物。
【請求項９】
前記ターポリマーが、０．９５５ｇ／ｃｍ３以下の密度を有する、請求項８記載の組成物。
【請求項１０】
前記ターポリマーが、５．０以下のＭＷＤを有する、請求項８又は９記載の組成物。
【請求項１１】
前記ターポリマーが、０．１モル％以上の取り込まれたα−オレフィン含量を有する、請求項８〜１０のいずれか１項記載の組成物。
【請求項１２】
前記α−オレフィンが、ヘキセン−１である、請求項８〜１１のいずれか１項記載の組成物。
【請求項１３】
エチレン及び環状オレフィンを、不均一形態のメタロセン触媒の存在下で重合させる、請求項１〜１２のいずれか１項記載の組成物の製造方法。
【請求項１４】
請求項１〜１２のいずれか１項記載の組成物から構成されるフィルム層を含む、フィルム。
【請求項１５】
請求項１〜１２のいずれか１項記載の組成物から構成される成形品層を含む、成形品。
【発明の詳細な説明】
【０００１】
発明の背景
ポリオレフィン及び他のポリマータイプは、典型的には、２つの一般的なフィルム形成技術のいずれかによってフィルムに製造される。溶融ポリマーは、スロットダイを通して押出流延し、フィルム層を形成してもよく、そのように形成されたフィルムは、一般的に流延（キャスト）フィルムと呼ばれる。あるいは、溶融ポリマーは、環状ダイを通して押出し、押出物の気密性封入物を形成し、これに次に空気を吹き込んで押出し物を空気支持フィルムの気泡に拡張してもよく、そのように形成されたフィルムは、一般的にインフレート気泡（ｂｌｏｗｎ  ｂｕｂｂｌｅ）フィルムと呼ばれる。
【０００２】
インフレート法（ｂｌｏｗｎ  ｂｕｂｂｌｅ  ｅｘｔｒｕｓｉｏｎ）技術によりポリマー樹脂をフィルムに形成する技術は、広く実施されており、スロットダイ押出流延技術によるフィルム形成のそれと比較して種々の加工の簡便化及び便宜を提供する。しかし、インフレート法技術によるフィルム形成を成功裏に実施するためには、フィルム層を形成しようとするポリマー樹脂は、ある程度の最小限の物理的／機械的特性を有さなければならず、それらの特性のうちの主要なものは、その吹込み（インフレーション）及び空気による拡張の間におけるフィルム気泡の形成を支持するのに充分な、その押出温度での強度（すなわち「溶融強度」）である。
【０００３】
これまでは、そうでなければ種々の最終用途のためのフィルムにおいて望ましい物理的／機械的／化学的特性を有するあるタイプのポリマー樹脂は、そのような樹脂をインフレート法技術によるフィルムへの製造について問題があるものにする溶融強度を提供してきた。そのようなタイプの問題のあるポリマー樹脂の１つは、リニア（線状）低密度ポリエチレンである。リニア低密度ポリエチレンは、従来ＬＬＤＰＥと呼ばれ、エチレンと少量のオレフィン性炭化水素コモノマー（典型的には非環式Ｃ３〜Ｃ８α−オレフィン）とのコポリマーであって、エチレンがポリマーの少なくとも約８０重量％を構成し、非環式α−オレフィンコモノマー含量がポリマー質量の約２０重量％未満を構成する。エチレンとこのような少量の非環式オレフィン性炭化水素コモノマーとの共重合は、ポリマー骨格に沿って分岐する短い鎖を導入して、約０．９１０〜約０．９４０ｇ／ｃｍ３の範囲の密度を有する熱可塑性のエチレンベースのポリマーを生じ、より低い密度はより高いコモノマー含量に付随し、より高い密度はより低いコモノマー含量に付随する。したがって、ＬＬＤＰＥは、高圧フリーラジカル重合によって製造される高度に分岐した低密度ホモポリエチレン（ＬＤＰＥ）と同様の多くの機械的／化学的特性を有し、その一方で、ＬＬＤＰＥはまた、低圧チーグラー・ナッタ重合法によって製造される非分岐又はリニア高密度ホモポリエチレン（ＨＤＰＥ）のもののようなある種の機械的／化学的及び流動学的特性をも有する。したがって、このタイプの高エチレン含量の熱可塑性エチレン−α−オレフィンコポリマーは、リニア低密度ポリエチレン、すなわちＬＬＤＰＥと呼ばれる。
【０００４】
ＬＬＤＰＥは、そのままで、又は更に別のポリマーとのブレンド中の成分として、家庭用使い捨てごみ袋及びライナー類のような消費者市場用フィルム；ランドリー及びドライクリーニング用品のためのオーバーラップフィルム及び袋；及び小売り商取引のための輸送及び持ち帰り用袋類のような多様な適用のために設計されたフィルムの形成のために使用される。ＬＬＤＰＥは、それがポリ塩化ビニル等のような他のタイプの樹脂と比べて比較的低コストであることのため、このような最終用途設計のフィルムのための樹脂として望ましい。それはまた、その低コストと組み合わせて、引張り強さ、割線モジュラス、引張り引裂強さ（ｔｅｎｓｉｌｅ  ｔｅａｒ  ｓｔｒｅｎｇｔｈ）、耐破壊性、破断点伸び等の優れた機械的／物理的／化学的特性のセットをも有する。
【０００５】
この目的のため、ＬＬＤＰＥ樹脂は、これまで、スロットダイ流延技術及びインフレート法技術の両方のフィルム形成技術によってフィルム層に押出されてきた。しかし、他のタイプのポリマーと比較してＬＬＤＰＥ樹脂の低せん断速度下での比較的低い溶融強度及び比較的低い溶融粘度のため、ＬＬＤＰＥは、そのままでインフレート法技術によってフィルム層に加工するために用いるのがより困難である。したがって、ＬＬＤＰＥ樹脂をそのままでフィルム形成のためにインフレート法技術において用いる場合、加工条件は、より狭い作動条件のウインドウ内により注意深く制御されなければならず、ＬＬＤＰＥのフィルム層が製造され得る次元、特にそのフィルム厚のそれに関して、ある種の制限が観察されなければならない。フィルム形成のためのインフレート法技術において使用されるＬＬＤＰＥについて観察されなければならないこのような制限は、他のタイプのポリマーがインフレート法技術によってフィルムに製造され得る速度と比較して、フィルム製造速度を更に制限する。
【０００６】
発明の簡単な概要
本発明は、高いエチレン（Ｅ）含量（≧７７重量％）及びコモノマー含量の樹脂であって、環状オレフィン、好ましくはノルボルネン（ＮＢ）が少なくとも０．１モル％の程度で取り込まれている樹脂を提供する。これは、（特にインフレート法技術によって）フィルム層に製造されるその能力に関して、有意に改良されている。本発明の高エチレン含量ポリマーは、ポリマー骨格が実質的に短い鎖分岐のみを含有する点において実質的にリニアポリマーであり、この点に関しては、本発明のエチレンポリマーは、従来公知のリニアポリエチレン（ＬＰＥ）と同様である。本発明のエチレンポリマーは、ＬＬＤＰＥのような多くの特性を有する一方、コモノマーとして非環式α−オレフィンを用いて典型的に調製されたＬＬＤＰＥのそれよりも大きい可能性がある密度を有する。
【０００７】
本発明のエチレンポリマーは、エチレン／環状オレフィンコポリマー又はエチレン／環状オレフィン／非環式α−オレフィンターポリマーであることができる。環状オレフィンは、任意のシクロオレフィンであってよく、それには、不飽和が存在する環構造がポリマー骨格中に取り込まれるようにメタロセン触媒の存在下でポリマー鎖中に開環なしで挿入するであろう環状エチレン性又はアセチレン性不飽和化合物が含まれる。好適な環状オレフィンの例は、米国特許第５，６３５，５７３号に記載されており、その開示は参照によりここに援用される。環状オレフィンとして好ましいのはノルボルネン類であり、これには、ノルボルネン及びＣ１〜３０アルキル置換ノルボルネン、シクロペンテン類、及びテトラシクロドデセンが含まれる。これらのなかで、ノルボルネン類が最も好ましい。
【０００８】
本発明のエチレンポリマーは、エチレン／環状オレフィンコポリマー（例えばエチレン／ノルボルネンコポリマー（Ｅ／ＮＢ））、又はエチレン／環状オレフィン／非環式α−オレフィンターポリマー（例えばエチレン／ノルボルネン／非環式α−オレフィンインターポリマー（Ｅ／ＮＢ／Ｏ）であることができる。本発明の最も好ましい熱可塑性エチレンポリマーは、０．１〜８モル％のノルボルネン含量を有するエチレン／ノルボルネンコポリマー（Ｅ／ＮＢ）を含む。ノルボルネンコモノマーは、そのままのノルボルネン、又は５位又は７位（好ましくは５位）にアルキル置換基を有するＣ１〜３０アルキル置換ノルボルネンであることができる。置換ノルボルネンのなかでは、Ｃ１〜２０アルキルが好ましく、Ｃ１〜１０アルキルが最も好ましい。以下では、このクラスのコポリマーを、一般にＥ／ＮＢコポリマーと呼称する。尤も、アルキル置換ノルボルネンを用いる場合、コポリマーは、Ｅ／ＮＢ−Ｒコポリマー（ここで、Ｒはアルキル置換基を示す）と呼ぶことができる。
【０００９】
本発明にしたがえば、Ｅ／ＮＢコポリマーは、気相法又はスラリー法のようなバッチ又は連続二相重合法において支持されたメタロセン触媒を用いてエチレンをノルボルネン又はアルキル置換ノルボルネンと重合させ、２０，０００〜３００，０００又はそれ以上の重量平均分子量（Ｍｗ）；２〜５の分子量分布（Ｍｗ／Ｍｎ）；ＡＳＴＭ試験法Ｄ１２３８、条件１９０／２．１６にしたがって決定された０．１〜１００ｄｇ／分、好ましくは０．１〜１０ｄｇ／分のメルトインデックス（ＭＩ）；及び６０％未満のコモノマー分布幅インデックス（ｃｏｍｏｎｏｍｅｒ  ｄｉｓｔｒｉｂｕｔｉｏｎ  ｂｒｅａｄｔｈ  ｉｎｄｅｘ；ＣＤＢＩ）値によって示されるようにエチレン／ノルボルネンコポリマー樹脂を含む種々の分子量フラクション（画分）にわたる上記ノルボルネンコモノマー（ＮＢ又はＮＢ−Ｒ）の広い分布、を有するエチレン／ノルボルネンコポリマー又はターポリマーを製造することによって調製される。このエチレン／ノルボルネンコポリマー（Ｅ／ＮＢ及び／又はＥ／ＮＢ−Ｒ）は、ＤＳＣによって決定されるメルト分布（ｍｅｌｔ  ｄｉｓｔｒｉｂｕｔｉｏｎ）を６０〜１３５℃の領域に有し、０．１〜約８モル％の範囲のノルボルネンコモノマー含量についてのそのピーク融点は１２０〜１３５℃領域にある。このエチレン／ノルボルネンコポリマー（Ｅ／ＮＢコポリマー）は、従来のＬＬＤＰＥの多くの物理的／機械的特性を示す一方、溶融状態において流体様の物質のようにふるまうようなせん断減粘性（ｓｈｅａｒ  ｔｈｉｎｎｉｎｇ）挙動をも示す。このようなエチレン−ノルボルネン樹脂は、ＬＬＤＰＥ樹脂のようにふるまうが、フィルム層の製造のための（特にインフレーション技術によるフィルム層の製造のための）有意に改良された加工性及び靭性の特徴を有すると期待され、それによってフィルム製造に関して従来のＬＬＤＰＥ樹脂に本質的に備わっていた加工性／靭性の欠陥を克服する。さらに、本発明のＥ／ＮＢタイプのＬＬＤＰＥ樹脂から調製されたフィルムは、そのフィルム特性のある種のもの、例えば引裂強さに関して、ＬＬＤＰＥタイプの樹脂がそうでなければフィルムに提供するはずの有益な特性を犠牲にすることなく、有意に改良されることが見出された。
【００１０】
したがって、本発明の対象は、Ｅ／ＮＢタイプのＬＬＤＰＥ樹脂、及びそれから製造されたフィルムであって、その少なくとも１つのフィルム層がこのＥ／ＮＢタイプのＬＬＤＰＥ樹脂を含むフィルムである。
【００１１】
さらに、Ｅ／ＮＢポリマーは、エチレン、ノルボルネン及びＣ３〜Ｃ８非環式α−オレフィンが共重合されてＬＬＤＰＥタイプの樹脂を生じたターポリマーとして調製することができることが見出された。この場合においては、モルベースで、取り込まれたノルボルネン又はアルキル置換ノルボルネンの量は、少なくとも０．１モル％であるが１０モル％未満であり、好ましくは７モル％未満であり、より好ましくは０．１〜５モル％の間であるが、その一方で、取り込まれた非環式α−オレフィンの量は、少なくとも約０．１モル％であって、約１０モル％を超えることがなく、好ましくは約７モル％を超えることがない。以下では、このクラスのターポリマーを、ノルボルネンコモノマーがアルキル置換されているか又はされていないかにかかわらず、一般にＥ／ＮＢ／Ｏターポリマーと呼称する。このようなＥ／ＮＢ／ＯターポリマータイプのＬＬＤＰＥ樹脂は、一般に、少なくとも約０．９１０ｇ／ｃｍ３から約０．９４０ｇ／ｃｍ３にわたる密度を有し、フィルムの製造のための加工性及び靭性の特徴に関してさらに改良されている。このようなＥ／ＮＢ／Ｏターポリマー樹脂から調製されたフィルムは、それから製造されたフィルムの引裂強さに関してさらなる向上を示す。したがって、本発明の対象は、Ｅ／ＮＢ／ＯターポリマータイプのＬＬＤＰＥ樹脂及びこのようなＥ／ＮＢ／Ｏターポリマー樹脂を含む少なくとも１つのフィルム層を有するそれから製造されたフィルムである。
【００１２】
好ましい態様の詳細な説明
本発明は、その最も広い側面において、メタロセンにより製造されたエチレンポリマーであって、環状オレフィンがポリマーの総モノマー含量の１０モル％以下の量でコモノマーとして存在し、ポリマーが５以下の分子量分布及び６０％以下の組成分布幅インデックス（ＣＤＢＩ）を有するポリマーを含む。このエチレンポリマーは、環状オレフィンのコポリマー又は環状オレフィンと非環式α−オレフィンとのターポリマーであってもよい。ノルボルネンは、これらのエチレンポリマーの製造のための好ましい環状オレフィンであり、５−メチルノルボルネン−２、５−エチルノルボルネン−２、５−ヘキシルノルボルネン−２等のようなアルキル置換ノルボルネンも同様である。
【００１３】
本発明は、Ｅ／ＮＢ及びＥ／ＮＢ／ＯタイプのＬＬＤＰＥ樹脂であって、容易に加工することができ、インフレート法技術によるフィルム層への効率的な製造に充分な靭性を有する樹脂を含む。エチレン／ノルボルネン（Ｅ／ＮＢ）コポリマーは、１０モル％未満のノルボルネン含量、好ましくは０．１〜８モル％ＮＢを有し、一方、Ｅ／ＮＢ／Ｏターポリマーは、１０モル％未満、好ましくは０．１〜５モル％のノルボルネン含量を有する。
【００１４】
この樹脂を構成する異なる分子量フラクションにわたって広く分布するノルボルネン（ＮＢ及び／又はＮＢ−Ｒ）含量を有するエチレンコポリマー又はエチレンターポリマーの製造は、非リニアの伸び特性を有する樹脂を提供することが見出された。これは、速い引落しに供し得る優れた気泡安定性のフィルム気泡へインフレート法技術により迅速に加工することを可能にする溶融強度及び弾性の特性を有するＥ／ＮＢ及びＥ／ＮＢ／ＯタイプのＬＬＤＰＥ樹脂を提供する。さらに、Ｅ／ＮＢ及びＥ／ＮＢ／ＯタイプのＬＬＤＰＥから形成されたフィルムは、従来のＬＬＤＰＥから形成された匹敵するフィルムと比較して、ノッチ付き及びノッチなしの両方の引裂に対する抵抗性に関して、顕著に優れた引裂抵抗性の特性を示す。
【００１５】
ここで好ましいＥ／ＮＢ及びＥ／ＮＢ／Ｏ樹脂の重合のための触媒は、シクロペンタジエニルアニオン部分を含有する又は含む単一又は融合環ヒドロカルビルラジカルである少なくとも１つのリガンド（Ｌ）であって、上記部分を通じて遷移金属カチオンに配位結合しているリガンドを有する遷移金属成分から構成される。このような触媒系は、現在、一般に「メタロセン」（ｍ）触媒と呼ばれ、このようなメタロセン触媒系の多くの例が、現在までに当該技術分野において記載されている。
【００１６】
例えば、メタロセン触媒は、典型的には以下の式：
｛［（ＬＰ）ｍＭ（Ａｑ）ｎ］＋ｋ｝ｈ［Ｂ’−ｊ］ｉ
（式中、Ｌは、Ｍに結合する嵩高いリガンドであり、ｐは、Ｌのアニオン性電荷であり、ｍは、Ｌリガンドの数であって、かつｍは、１、２又は３であり；Ａは、Ｍに結合し、Ｍ−Ａ結合間にオレフィンを挿入することができるリガンドであり、ｑは、Ａのアニオン性電荷であり、ｎは、Ａリガンドの数であって、かつｎは、１、２、３又は４であり；Ｍは、金属、好ましくは遷移金属であり、（ｐ×ｍ）＋（ｑ×ｎ）＋ｋは、金属中心の形式酸化状態（ｆｏｒｍａｌ  ｏｘｉｄａｔｉｏｎ  ｓｔａｔｅ）に相当し、ここでｋは、カチオン上の電荷であって、かつｋは、１、２、３又は４であり；Ｂ’は、化学的に安定な非求核性アニオン性錯体、好ましくは４Å以上の分子直径を有するものであり、ｊは、Ｂ’のアニオン性電荷であり、ｈは、電荷ｋのカチオンの数であり、ｉは、ｈ×ｋ＝ｊ×ｉであるような、電荷ｊのアニオンの数である。）
から誘導され得る嵩高いリガンド遷移金属錯体である。
【００１７】
任意の２つのＬ及び／又はＡリガンドは、互いに架橋されていてもよい。触媒化合物は、２個以上のリガンドＬを有する全サンドイッチ（ｆｕｌｌ−ｓａｎｄｗｉｃｈ）化合物であってもよく、このＬは、シクロペンタジエニルリガンド又は置換シクロペンタジエニルリガンドであってもよく、あるいは、1個のリガンドＬを有する半サンドイッチ（ｈａｌｆ−ｓａｎｄｗｉｃｈ）化合物であってもよく、このＬは、シクロペンタジエニルリガンド又はヘテロ原子置換シクロペンタジエニルリガンド又はヒドロカルビル置換シクロペンタジエニルリガンド、例えばインデニルリガンド、ベンズインデニルリガンド又はフルオレニルリガンド等又は遷移金属原子（Ｍ）にη５結合することができる任意の他のリガンドである。これらの嵩高いリガンドの１個以上は、遷移金属原子にπ結合している。各Ｌは、例として水素又は直鎖、枝分れもしくは環状アルキル、アルケニルもしくはアリールラジカルを含む置換基であって、同じであっても異なっていてもよい置換基の組み合わせで置換されることができる。金属原子（Ｍ）は、第４、５又は６属遷移金属又はランタニド系列もしくはアクチニド系列の金属であることができる。好ましくは、遷移金属は、第４属金属、特に、任意の形式酸化状態（好ましくは＋４）の、チタニウム、ジルコニウム及びハフニウムである。アミン、ホスフィン、エーテル等の弱塩基のような（これらに限られない）脱離基等の他のリガンドは、遷移金属に結合していてもよい。遷移金属に加えて、これらのリガンドは、場合によってはＡ又はＬに結合していてもよい。
【００１８】
１つの態様においては、本発明において用いられるメタロセン触媒系は、以下の一般式：
（Ｌｐ）ｍＭ（Ａｑ）ｎ（Ｅｒ）ｏ
によって表される触媒化合物、及びアルミニウムアルキル、アルモキサン、修飾アルモキサン又は任意の他の酸素含有有機金属化合物又は非配位性イオン活性剤、あるいはそれらの組み合わせから形成される。式中、Ｌ、Ｍ、Ａ及びｐ、ｍ、ｑ及びｎは、上記で定義したとおりであり、Ｅは、例えばヒドロカルビル、水素、ハライド又は他の任意のアニオン性リガンドのような（これらに限られない）アニオン性脱離基であり；ｒは、Ｅのアニオン性電荷であり、ｏは、Ｅリガンドの数であって、かつｏは、（ｐ×ｍ）＋（ｑ×ｎ）＋（ｒ×ｏ）が金属中心の形式酸化状態に等しいように１、２、３又は４である。メタロセン触媒成分及びメタロセン触媒系の非制限的な例は、例えば、米国特許第４，５３０，９１４号；第４，８０５，５６１号；第４，９３７，２９９号；第５，１２４，４１８号；第５，０１７，７１４号；第５，０５７，４７５号；第５，０６４，８０２号；第５，１９８，４０１号；第５，２７８，２６４号；第５，２７８，１１９号；第５，３０４，６１４号；第５，３２４，８００号；第５，３４７，０２５号；第５，３５０，７２３号；第５，３９１，７９０号及び第５，３９１，７８９号に論じられており、これらのすべては参照によりここに完全に援用される。また、このような触媒成分及び系は、ＥＰ−Ａ−０５９１７５６；ＥＰ−Ａ−０５２０７３２；ＥＰ−Ａ−０５７８８３８；ＥＰ−Ａ−０６３８５９５；ＥＰ−Ａ−０４２０４３６；ＷＯ９１／０４２５７；ＷＯ９２／００３３３；ＷＯ９３／０８２２１；ＷＯ９３／０８１９９；ＷＯ９４／０１４７１；ＷＯ９４／０７９２８；ＷＯ９４／０３５０６及びＷＯ９５／０７１４０の開示においても論じられており、これらのすべては参照により完全にここに援用される。さらに、環状オレフィンコポリマーの製造のためのメタロセンタイプの触媒の使用は、米国特許第５，２４１，０２５号；第５，３２４，８０１号；第５，５０２，１２４号；第５，６２９，３９８号及び第５，６３５，５７３号に記載されており、これらのすべては参照により完全にここに援用される。
【００１９】
現在、一般に、従来型又は伝統的チーグラー・ナッタ（ＺＮ）触媒と呼ばれている、シクロペンタジエニルアニオン部分を有する有機リガンドを有さない遷移金属成分を用いるα−オレフィン重合のために従来公知の触媒系とは対照的に、メタロセン触媒は本質的にシングルサイト触媒であり、一方、ＺＮ触媒はほとんど必ずマルチサイト触媒であって、ポリマー構造の大きな多様性を有するポリマー樹脂を製造する。
【００２０】
当該技術分野において典型的な伝統的なチーグラー・ナッタ触媒は、チタニウム又はバナジウムハライドのような遷移金属ハライド、及び典型的にはトリアルキルアルミニウム化合物である第１、２又は３属の金属の有機金属化合物（これは遷移金属ハライドの活性剤として役立つ）を含む。いくつかのチーグラー・ナッタ触媒系は、アルキルアルミニウム又は遷移金属と錯体を形成した内部電子供与体を取り込んでいる。遷移金属ハライドは、マグネシウム化合物上に支持されていてもよく、マグネシウム化合物と錯体を形成していてもよい。この活性チーグラー・ナッタ触媒は、シリカ又はアルミナのような無機支持体上に含浸されていてもよい。本特許明細書の目的のためには、クロミウム触媒（例えば米国特許第４，４６０，７５５号に記載されているもの；この文献は参照によりここに援用される）もまた、伝統的チーグラー・ナッタ触媒と考えられる。伝統的チーグラー・ナッタ触媒に関するさらなる詳細については、例えば、米国特許第３，６８７，９２０号、第４，０８６，４０８号、第４，３７６，１９１号、第５，０１９，６３３号、第４，４８２，６８７号、第４，１０１，４４５号、第４，５６０，６７１号、第４，７１９，１９３号、第４，７５５，４９５号及び第５，０７０，０５５号（これらのすべては参照によりここに援用される）を参照されたい。
【００２１】
それとは対照的に、メタロセン触媒によって製造されたエチレンコポリマーは、得られるｍ−ＬＬＤＰＥポリマー樹脂を含むポリマー状構造に関して、特にその異なる分子量フラクション間の不均衡に関して（Ｍｗ／Ｍｎ値、分子量分布、又はｍ−ＬＬＤＰＥポリマー樹脂のＭｗ／Ｍｎ値が一般に≦３．０であることにより示されるように）、及びその異なる分子量フラクション間でのα−オレフィンコモノマーの分布に関して（５０％を超え、一般にはるかに高い、高いコモノマー分布幅インデックス（ＣＤＢＩ）値によって示されるように）、はるかに均一である。
【００２２】
単一のメタロセン成分を有する均一触媒系から製造されたＥ／ＮＢポリマーは、非常に狭いノルボルネンコモノマーの分布を有し、ほとんどのポリマー分子は、その特定の分子量にかかわらず、大まかに同じ又は匹敵するＮＢコモノマー含量を有するであろう。すなわち、このようなＥ／ＮＢコポリマーのＣＤＢＩは、一般に＞６０％である。しかし、本発明の目的のためには、得られる樹脂のＣＤＢＩが６０％未満、好ましくは５０％未満、最も好ましくは４５％未満であり、約１５〜約４０％の位であり；すべてのＥ／ＮＢ及びＥ／ＮＢ／ＯタイプのＬＬＤＰＥが５未満、好ましくは４未満、さらに好ましくは約２．３〜３．４の位である比較的狭いＭＷＤ（Ｍｗ／Ｍｎ）を保持するように、Ｅ／ＮＢ及びＥ／ＮＢ／ＯタイプのＬＬＤＰＥが、ＮＢコモノマーの広い組成分布を有するように製造することが望ましい。この目的のために、メタロセン触媒系を、不均一型又は支持型で用い、かつスラリー又は気相重合手順のような二相重合手順において用いることが必要であることが見出された。
【００２３】
組成分布の１つの目安は、米国特許第５，３８２，６３０号（参照によりここに援用される）において定義されているような「組成分布幅インデックス」（「ＣＤＢＩ」）である。ＣＤＢＩは、中央値の総モルコモノマー含量の５０％以内のコモノマー含量を有するコポリマー分子の重量パーセントと定義される。コポリマーのＣＤＢＩは、コポリマーの試料の個別の重量フラクションを分離するための周知の技術を用いて容易に決定される。このような技術の１つは、Ｔｅｍｐｅｒａｔｕｒｅ  Ｒｉｓｉｎｇ  Ｅｌｕｔｉｏｎ  Ｆｒａｃｔｉｏｎ  （ＴＲＥＦ）であり、Ｗｉｌｄら、Ｊ．  Ｐｏｌｙ．  Ｓｃｉ．  Ｐｏｌｙ．  Ｐｈｙｓ．  Ｅｄ．  Ｖｏｌ．２０，  ｐ．４４１（１９８２）及び米国特許第５，００８，２０４号に記載されている（これらは参照によりここに援用される）。
【００２４】
コポリマーのＣＤＢＩを決定するさらなる詳細は、当業者には公知である。例えば、１９９３年２月１８日に発行されたＰＣＴ特許出願ＷＯ９３／０３０９３を参照されたい。そのままのノルボルネンをコモノマーとして用いて、本発明のフィルムにおいて用いられるｍ−Ｅ／ＮＢタイプのＬＬＤＰＥポリマーは、３５％以下であり、かつ１５〜３０％の範囲内、通常は１５〜２５％の範囲内、そして最も典型的には２０〜２５％の範囲内のＣＤＢＩを有する。ノルボルネンコモノマーがアルキル置換ノルボルネンである場合、本発明のフィルムにおいて用いられるｍ−Ｅ／ＮＢ−ＲタイプのＬＬＤＰＥポリマーは、好ましくは３０〜５５％の位のＣＤＢＩを有する。本発明のフィルムにおいて用いられるＥ／ＮＢ／Ｏターポリマーは、好ましくは５０％未満のＣＤＢＩを有する。
【００２５】
Ｅ／ＮＢコポリマータイプのＬＬＤＰＥ樹脂
好ましい樹脂であるｍ−Ｅ／ＮＢタイプのＬＬＤＰＥは、ＡＳＴＭ試験法Ｄ１２３８、条件１９０／２．１６にしたがって決定した場合、約０．４〜約１００の範囲内、好ましくは約０．５〜５０の範囲内、そして最も好ましくは０．８〜４．０ｄｇ／分のメルトインデックス（ＭＩ）を有する。ＡＳＴＭ試験法Ｄ１２３８、条件１９０／２．１６にしたがって決定した場合、インフレート法技術によるフィルム製造のためのＥ／ＮＢタイプのＬＬＤＰＥ樹脂についてのＭＩ範囲は、好ましくは約０．８〜約３．０ｄｇ／分であり；キャストフィルム製造については、Ｅ／ＮＢタイプのＬＬＤＰＥ樹脂のＭＩ範囲は、好ましくは約０．７５〜４．０ｄｇ／分であり；好ましくは１〜５．０ｄｇ／分であり；より好ましくは１〜４ｄｇ／分である。Ｅ／ＮＢタイプのＬＬＤＰＥ樹脂についてのメルトインデックスの選択は、一般に、押出し方法のタイプ及び用いる特定の装置、ならびにフィルムの最終用途及び／又はその後のコンバーティング作業における用途によって影響される。
【００２６】
本発明の目的に好適なエチレン／ノルボルネンコポリマーは、エチレンとノルボルネン又はアルキル置換ノルボルネンとを、活性化されたシクロペンタジエニル遷移金属化合物を含む触媒系、すなわち不均一又は支持された形態のメタロセン触媒系の存在下で共重合させることによって調製することができる。エチレン／ノルボルネンコポリマーは、分子量分布（ＭＷＤ）に関して実質的に均一であり、ノルボルネン又はアルキル置換ノルボルネンは、約０．１〜約１０モル％の範囲で取り込まれる。好ましくは、エチレン／ノルボルネンコポリマーは、約２０，０００〜約３００，０００、より好ましくは約６０，０００〜約３００，０００の重量平均分子量（Ｍｗ）と、実質的に約５未満、より好ましくは約２．０〜約４．０の分子量分布（Ｍｗ／Ｍｎ）とを有する。エチレン／ノルボルネンコポリマーは、示差走査熱量計（ＤＳＣ）によるよく定義された融点ピーク（Ｔｍ）の存在によって反映されるように、結晶である。
【００２７】
ノルボルネン又はアルキル置換ノルボルネンは、一般に、約０．１〜約１０モル％のＥ／ＮＢコポリマーを含むことができるが、好ましくは約１〜約７モル％を含む。約０．１モル％より低い取り込み率では、ノルボルネンは、エチレンベースのコポリマーの特性に実質的に影響しない。それとは反対に、約１０モル％より高い取り込み率では、Ｅ／ＮＢコポリマーは、両性（ａｍｐｈｏｒｏｕｓ）になりすぎるか、極端な場合にはエラストマー状ポリオレフィンに似すぎた挙動をする。したがって、ノルボルネン又はアルキル置換ノルボルネンの割合は、本発明の樹脂のフィルムの形成に用いるために必要な特性を有するＥ／ＮＢコポリマーを得るためには重要である。ノルボルネンモノマーは、そのルーチンの製造及び貯蔵に一般的であるような他のノルボルネン形態を含んでいてもよい。
【００２８】
本発明における使用に好ましいＥ／ＮＢコポリマーは、それらを望ましいものにする多くの特性を有する。Ｅ／ＮＢコポリマーは、一般に、良好な靭性、及びエチレン、プロピレン及びより高分子のα−オレフィンのホモポリマーのような光学透明度を有するが、より大きい弾性及び伸びからの回復を有する傾向も有する。しかし、好ましいＥ／ＮＢコポリマーのフィルムは、靭性及び優れた引裂特性をも有する。
【００２９】
Ｅ／ＮＢ／ＯターポリマータイプのＬＬＤＰＥ樹脂
エチレン、ノルボルネン（アルキル置換ノルボルネンを含む）及びＣ３〜Ｃ８α−オレフィンのターポリマーは、Ｅ／ＮＢコポリマーのＬＬＤＰＥ樹脂タイプについての手順と同様の手順によって製造される。すなわち、不均一の支持形態のメタロセン触媒を、Ｅ／ＮＢ／Ｏターポリマーの製造のためにスラリー又は気相重合手順のような二相重合手順において用いる。ここでもまた、この手順は、一般に５．０未満、そして好ましくは４．０未満の比較的狭い分子量分布（Ｍｗ／Ｍｎ）のターポリマーを製造するが、その一方で、得られる樹脂を含む異なる分子量フラクション間でＮＢ又はＮＢ−Ｒモノマーはランダムに分布する。
【００３０】
本発明の目的に好適なエチレン／ノルボルネン／α−オレフィンターポリマー（Ｅ／ＮＢ／Ｏ）は、モル％ベースで、１０モル％以下のノルボルネン及びα−オレフィンの総コモノマー含量、２０，０００〜約３００，０００の重量平均分子量（Ｍｗ）、及び好ましくは、０．９０を超えるが約０．９５５ｇ／ｃｍ３未満である密度を提供するようなコモノマーの割合及び総コモノマー含量の組み合わせを有する。Ｅ／ＮＢ／Ｏターポリマーは、このターポリマーのＣＤＢＩが６０％未満、典型的には５５％を超えず、好ましくは５０〜２０％の位であるように、樹脂の分子量フラクションを通じてＮＢ又はＮＢ−Ｒ及びＯコモノマーの分布を有するであろう。用いることができるα−オレフィンは、これまで従来のＬＬＤＰＥ樹脂の製造に用いられてきたＣ３〜Ｃ２０のα−オレフィンのいずれであることもできる。好ましいα−オレフィンは、プロピレン、ブテン−１、ヘキセン−１、４−メチル−１−ペンテン及びオクテン−１のようなＣ３〜Ｃ８オレフィンである。コモノマーの好ましい組み合わせ及び含量は、ノルボルネンとヘキセン−１のそれであり、ここでノルボルネンはＥ／ＮＢ／Ｏターポリマー樹脂中に約０．１〜約１０モル％、好ましくは約１．５〜約５．０モル％の範囲で取り込まれており、ヘキセン−１は少なくとも約１モル％〜総コモノマー含量１０モル％の残りの量までの範囲で取り込まれている。好ましくは、ヘキセン−１は、Ｅ／ＮＢ／Ｏターポリマーの約１．０〜約５．０モル％の量で取り込まれている。
【００３１】
好ましい樹脂であるＬＬＤＰＥのＥ／ＮＢ／Ｏターポリマータイプは、ＡＳＴＭ試験法Ｄ１２３８、条件１９０／２．１６にしたがって決定した場合、約０．５〜約１００、好ましくは０．８〜５０のＭＩを有する。ここで、インフレート法技術によるフィルム製造については、０．８〜３．０ｄｇ／分のＭＩが好ましいが、キャストフィルム製造については、０．７５〜４．０ｄｇ／分のＭＩが好ましい。成形の適用については、＞３ｄｇ／分のＭＩを有する上記のターポリマーが好ましい。
【００３２】
樹脂製造のための重合方法論
本発明において用いられるようなＥ／ＮＢコポリマー又はＥ／ＮＢ／Ｏターポリマーを製造するために使用される重合方法論は、以下の文献に引用、開示及び記載されている方法で、メタロセン触媒を用い、実施することができる：米国特許第５，０５５，４３８号；第５，０５７，４７５号；第５，０９６，８６７号；第５，０１７，７１４号；第５，１５３，１５７号；第５，１９８，４０１号；第５，２７８，１１９号；第５，３２４，８０１号；第５，６２９，３９８号；第５，６３５，５７３号又は公開されたヨーロッパ出願第１２９，３６８号；第２７７，００４号。これらのすべては参照によりここに援用される。
【００３３】
一般に、本発明において用いられるＥ／ＮＢ及びＥ／ＮＢ／Ｏ樹脂の調製において使用される好ましい触媒系は、第４属遷移金属メタロセン成分を活性化成分と混合する際に形成される錯体を含むことができる。触媒系は、必要な遷移金属及びアルモキサン成分、又は予めカチオンにより活性化された遷移金属メタロセン成分を、そこでスラリー又は塊（凝集）相重合手順によりオレフィン重合を行うことができる又はそれによって触媒を気相重合手順に連続的に供給することができる不活性溶剤に添加することによって調製することができる。
【００３４】
本発明において用いられるメタロセン触媒は、当該技術分野で公知の、例えば無機塩化物及び無機酸化物等（例えばシリカ、アルミナ、マグネシア、塩化マグネシウム又は任意のポリマー状物質、例えばポリエチレン及びポリスチレンジビニルベンゼン）の任意の多孔質支持体物質のような支持体に沈着させる。
【００３５】
ここでのＥ／ＮＢコポリマー及び／又はＥ／ＮＢ／Ｏターポリマーの調製に特に好ましい触媒は、シリカ上に支持された、メチルアルモキサン（ＭＡＯ）で活性化されたビス（１，３−ブチル−メチルシクロペンタジエニル）ジルコニウムジクロリドである。このような触媒は、当業者に現在周知の技術によって容易に調製することができる。例えば、このような触媒は、所望の量のＭＡＯをトルエン中３０重量％溶液として弱い窒素圧下でマンテルされた（ｍａｎｔｅｌｌｅｄ）清浄な乾燥リアクターに添加することによって調製することができる。所望により、さらなるトルエンを添加してもよく、その後、トルエン中の溶液のメタロセンの必要な量を添加し、それらの成分を上昇した温度（例えば８０℃）で１時間以内の時間、攪拌する。その後、このメタロセン−ＭＡＯ溶液を、メタロセン−ＭＡＯ溶液のすべてが添加され終わるまで攪拌下でシリカに添加し、シリカとの攪拌をしばらく続ける。その後、溶液から固体を分離し、遊離の流れる粉末（これが支持されたメタロセン−ＭＡＯ触媒である）が生じるまで上昇した温度で真空乾燥に供することができる。
【００３６】
最適の結果は、一般に、第４属遷移金属化合物が、好ましくは希釈剤１リットル当り約０．００００１〜約１０．０ミリモルの濃度で重合希釈剤中に存在し、活性化成分が、イオン性のものが存在する場合には約０．５：１〜約２：１以上のモル活性化成分対遷移金属比を与える量である（アルモキサン活性化成分の場合にはモルアルモキサン対遷移金属比はＡｌ対遷移金属原子比として２０，０００：１まで高いことができる）場合に得られる。通常、反応中の触媒成分からの適切な熱移動を提供し、良好な混合を可能にするように、充分な希釈剤が用いられる。
【００３７】
触媒成分、すなわち遷移金属、アルモキサン及び／又はイオン性活性化剤、及び重合希釈剤は、迅速に又は徐々に反応容器中に添加することができる。触媒成分の接触の間に維持される温度は、広い範囲で変化することができ、例えば−１００℃〜３００℃であることができる。好ましくは、触媒の形成中、反応は、約２５℃〜１００℃、最も好ましくは約２５℃〜約７０℃の温度に維持される。既に述べたように、この触媒は、支持体上に置かれ、最終的な触媒系を生じる。
【００３８】
Ｅ／ＮＢコポリマーを製造するための好ましい手順においては、触媒系は、液相（スラリー、懸濁又は塊相、あるいはそれらの組み合わせ）、高圧流体相又は気相で用いられる。液相法は、エチレン及びノルボルネンを好適な重合希釈剤中で不均一メタロセン触媒系と接触させる工程、及び前記モノマーを前記触媒系の存在下で充分な分子量のＥ／ＮＢコポリマーが製造されるのに充分な時間及び温度で反応させる工程を含む。エチレンの共重合が可能な条件は、エチレンが約０．０１９ｐｓｉ〜約５０，０００ｐｓｉの圧力で反応ゾーンに供され、反応温度が約−１００℃〜約３００℃に維持されるような条件である。反応時間は、約１０秒間〜約６時間までの範囲であることができる。しかし、少なくとも４０℃の温度で重合を行うことが好ましく、より好ましくは、約５０℃〜約１２０℃の温度で３０〜約６０分間、コポリマー生成物中に約０．１〜約１０モル％のノルボルネン又はアルキル置換ノルボルネンの取り込みを提供するモノマー条件下で重合を行う。
【００３９】
同様のスラリー手順をＥ／ＮＢ／Ｏターポリマー樹脂の製造のために用いてもよいが、Ｅ／ＮＢ／Ｏターポリマーについては、適切な量のＣ３〜Ｃ２０α−オレフィンがモノマー供給原料に添加されるであろう。そして、そのモノマー条件は、好ましくは、ターポリマー生成物中に約０．１〜約１０モル％のノルボルネン又はアルキル置換ノルボルネン及び約０．１〜１０モル％のα−オレフィンの取り込みを提供する条件である。
【００４０】
Ｅ／ＮＢコポリマーの製造のための重合の１つの手順は、以下のとおりである。すなわち、攪拌されたタンクリアクターに、２−ノルボルネン（ａ／ｋ／ａ  ノルボルネン−２）の液体溶液を導入する。不均一の支持された触媒系を、ノズルを介して蒸気又は液相の反応媒体中に導入する。供給原料のエチレンガスを、リアクターの蒸気相中に導入するか、又は当業界で周知のように液相中に散布する。リアクターは、ヘキサン希釈剤のような液相を含有し、この液相は、実質的に、液相中に溶解しているエチレンガスと一緒の２−ノルボルネンと、すべてのモノマーの蒸気を含有する蒸気相とから構成される。リアクター温度及び圧力は、蒸発するコモノマーの還流（自己冷却）を介して、ならびに冷却コイル、ジャケット等により、制御してもよい。重合速度は、一般に、重合条件により、特に触媒濃度の制御により、制御される。ポリマー生成物のエチレン及びノルボルネン含量は、エチレン対ノルボルネンの比及びリアクター中でのそれらの反応性の比（これらはリアクターへのこれらの成分の相対供給速度を操作することによって制御される）によって決定される。
【００４１】
同様に、Ｅ／ＮＢ／Ｏターポリマーを製造することができ、その場合には、エチレンモノマー供給原料の導入の前に、攪拌されたタンクリアクター中の２−ノルボルネンの溶液中にＣ３〜Ｃ２０α−オレフィンを添加してもよい。
【００４２】
樹脂添加剤及び加工
抗酸化剤、Ｉｒｇａｎｏｘ  １０７６（ヒンダードフェノール）又はＷｅｓｔｏｎ  ３９０（ホスファイト類）等のような従来の添加剤を、所望によりそれらの典型的な量で樹脂に取り込ませることができる。
【００４３】
本発明のＥ／ＮＢタイプのＬＬＤＰＥ樹脂から形成されたフィルムの引裂抵抗特性に関しては（ここではＥ／ＮＢコポリマー樹脂は、コモノマーとしてノルボルネンを用いて、約４０〜９０℃の反応温度で約１５〜６０分間の反応時間で製造され、約０．１〜約１０モル％のＮＢが取り込まれる）、このような樹脂から製造されたフィルムのノッチ付き引張り引裂強さ（ＮＴＴＳ）の抵抗性及びエルメンドルフ引裂強さは、エチレン及び１０重量％のヘキセンから構成される密度が０．９１７ｇ／ｃｍ３、ＭＷＤが２．１３、ＭＩが１．０及びＴｍが１２０℃のＬＬＤＰＥ樹脂と比較して、共に増大する。ノルボルネンコモノマーがアルキル置換ノルボルネン（５−アルキルノルボルネン−２）であるＥ／ＮＢコポリマー（そのアルキルがメチル、エチル又はヘキシルである）については、そのフィルムのＮＴＴＳは、同じＬＬＤＰＥ（１０重量％ヘキセン）樹脂と比較して実質的な改良を示した。ＬＬＤＰＥ樹脂のＥ／ＮＢ／Ｏターポリマータイプについては、フィルムのＮＴＴＳは改良され、エルメンドルフ引裂強さもまた、実質的に改良された（ここでターポリマーは、８０〜９０℃の反応温度で１５〜６０分間の反応時間で製造され、少なくとも０．３モル％のＮＢ及び少なくとも０．３モル％のα−オレフィンが取り込まれている）。
【００４４】
環状ダイ及び空気冷却を用いて製造されるインフレート、及びスロットダイ及び冷却用チルロールを用いるキャストフィルムは、共に、本発明のＥ／ＮＢコポリマー又はＥ／ＮＢ／ＯターポリマータイプのＬＬＤＰＥ樹脂のフィルム層の製造について許容可能な技術である。さらに、顔料、タッキファイヤー（粘着付与剤）、静電防止剤、防曇剤、抗酸化剤又は他の添加剤を含む種々の添加剤もまた企図され、これらの樹脂及び／又はそれらから製造されるフィルム中に含有させることができる。
【００４５】
多層構造は、いくつかの適用においては好ましい場合がある。このような構造としては、共押出しフィルム、及びラミネートフィルムが挙げられるが、これらに限られない。ラミネートフィルムは、本発明の樹脂をベースとする１又はそれ以上のフィルム層を含有するのみでなく、他のフィルム層も同様に含有することができ、例えばポリエステル、ポリアミド、ポリプロピレン、他のポリエチレン、Ｓａｒａｎ（登録商標）、エチレンビニルアルコール等が挙げられるが、これらに限られない。ラミネーションの方法としては、押出しラミネーション、接着ラミネーション、熱ラミネーション等が挙げられる。
【００４６】
本発明のある種のポリマー組成物は、成形での適用、例えば射出及び回転（ｒｏｔｏ）成形に、特に好適であろう。好ましい組成物は、約０．１〜２．０モル％の環状オレフィンを含有する（そして、＞３．０のメルトインデックス（ＭＩ）を呈する）。
【００４７】
実施例
例１−エチレン／ノルボルネン共重合
触媒の活性化
メタロセン触媒を、１．３重量％の水含量を有する６００℃のシリカ（Ｄａｖｉｓｏｎ  ９４８シリカ、Ｗ．  Ｒ．  Ｇｒａｃｅ，  Ｄａｖｉｓｏｎ  Ｃｈｅｍｉｃａｌ  Ｄｉｖｉｓｉｏｎ，  Ｂａｌｔｉｍｏｒｅ，  Ｍａｒｙｌａｎｄから入手可能）から調製した。この触媒を、８５０パウンド（３８６ｋｇ）のシリカを３４０パウンド（１５４ｋｇ）の触媒前駆体と混合することにより調製した。触媒前駆体は、８２パウンド（３７ｋｇ）のビス（１−メチル−３−ｎ−ブチル−シクロペンタジエニル）ジルコニウムジクロリドのトルエン中２８重量％溶液を、１０６０パウンド（４８１ｋｇ）のＡｌｂｅｒｍａｒｌｅ  Ｃｏｒｐｏｒａｔｉｏｎ  （Ｂａｔｏｎ  Ｒｏｕｇｅ，  Ｌｏｕｉｓｉａｎａ）から入手可能なメチルアルモキサンの３０重量％溶液と混合することにより、別個に調製した。さらに１３００パウンド（５９０ｋｇ）のトルエンを添加し、この混合物を８０°Ｆ（２７℃）に１時間維持し、その後、６パウンド（３ｋｇ）の表面改質剤（Ｗｉｔｃｏ  Ｃｈｅｍｉｃａｌ  Ｃｏｒｐｏｒａｔｉｏｎ，  Ｈｏｕｓｔｏｎ，  Ｔｅｘａｓから入手可能なＫｅｍａｍｉｎｅ  ＡＳ−９９０）を添加し、１時間混合した。真空にし、触媒を１４時間乾燥させた。次に、それを遊離の流出する粉末になるまで１７５°Ｆ（７９℃）で乾燥した。触媒の最終重量は、１２１６パウンド（５５２ｋｇ）であった。最終的な触媒は、０．４０％のジルコニウムローディング（添加量）及び１２．５％のアルミニウムローディングを有していた。
【００４８】
リアクター条件
ヘキサンを、Ｎ２下で予め１５０℃で焼成した清浄な乾燥した２リットルバッチのオートクレーブリアクターに移した。このリアクターを、ヘキサン中５０．８重量％のトリエチルアルミニウム（ＴＥＡＬ）溶液で掃去した。ヘキサン中８０．７重量％のノルボルネン溶液をこのリアクターに移した。最後に、調節した圧力下でエチレンを導入した。この混合物を、反応のために選択された温度で、溶液がエチレンで飽和し、平衡化するまで攪拌した。予め活性化した触媒粉末を、圧力によりリアクター中に入れた。温度は、必要に応じてリアクタージャケットに周囲温度の冷却水を循環させることにより、設定した反応温度に制御した。エチレンを、予め決定した圧力を維持するために必要に応じて補給し、反応をエチレンの取り込みによって監視した。反応は、選択された時間の後、停止させた。
【００４９】
以下の表１は、用いたＮＢ及びエチレンの量、反応温度及び実施時間、ポリマー収率及びポリマー特性に関する、各実施の条件を報告する。
【００５０】
【表１】
0004290328.tif 000002
【００５１】
実施例２−Ｅ／ＮＢコポリマーフィルム製造及び特性
以下の実施例においては、一連の薄フィルム（３〜５ｍｉｌ厚）を、１８０℃で２００ｐｓｉの圧縮下で成形することにより調製し、得られたフィルムの種々の特性を決定した。これらのフィルムの製造に用いたポリマー樹脂は、以下のとおりであった：（Ａ）ＥＣＤ−１０３（現在、Ｅｘｃｅｅｄ  ３５０Ｄ６０と呼ばれるもの）、これは１０重量％のヘキセンを含有するエチレンヘキセンコポリマーのＬＬＤＰＥである；このＥＣＤ−１０３は、０．９１７ｇ／ｃｍ３の密度、１．０５ｄｇ／分のメルトインデックス（ＭＩ）、約２．１３の分子量分布（Ｍｗ／Ｍｎ）、及び１２０℃の第一の融点及び１１０℃の第二の融点（ＤＳＣ解析による）を有するＬＬＤＰＥである−フィルムＡ：（Ｂ）フィルムＢ１〜Ｂ１１として前記の表１に報告された各Ｅ／ＮＢの実施のとおりの、スラリー重合反応によって不均一支持形態のメタロセン触媒を用いて調製されたＥ／ＮＢ又はエチレン−ノルボルネンコポリマー。０．５ｇ（１重量％）の量の抗酸化剤Ｉｒｇａｎｏｘ  １０７６を、すべての樹脂に添加した。
【００５２】
すべての薄フィルム試料を、ノッチ付き引張り引裂強さ（ＮＴＴＳ−単位；ｌｂで表されたエネルギー／厚さ）、エルメンドルフ引裂強さ（ｇ／ｍｉｌ）について試験し、融点（Ｔｍ）及び結晶化ピーク（Ｔｃ）についてＤＳＣによって解析した。結果を以下の表２に示す。
【００５３】
引裂強さ
フィルムの引裂強さを評価する２つの方法、すなわち、エルメンドルフ引裂試験及び「ノッチ付きストリップ引裂試験」を用いた。伝統的な方法はエルメンドルフ試験であるが、これは、高い引裂強さのフィルム及び圧縮成形された試料を試験することに関しては欠陥があることがわかったので、第二の方法である「ノッチ付き引張り引裂強さ」（すなわちＮＴＴＳ）と名付けられた方法を開発した。引裂試験に用いた試料の形状を図１に示す。ここで、Ａはエルメンドルフについてのもの、ＢはＮＴＴＳについてのものである。インフレート又はキャストフィルムにおいては、試料中の最初のノッチは、機械方向又は横断方向のいずれかと平行に作製される。慣例により、試験方向は、ノッチが整列されている軸として定義される。エルメンドルフ試験の開始時に、一方の試料タブを固定ジョーに掴ませ、他方を振り子に付けた可動ジョーに掴ませる。振り子を解放すると、それは可動グリップを伴ったまま下方に揺れて、試料を複雑な「股裂き」状の引裂に供し、その間のエネルギーを吸収する。エルメンドルフ引裂強さは、ｇ／ｍｉｌで表された、試料を破断させるのに必要な力として報告される。ＮＴＴＳ又はノッチ付きストリップ試験においては、０．５”幅のストリップに、その長軸（これは機械方向に対して平行でも垂直でもよい）に対して垂直にカミソリの刃で０．２５”の「ノッチ」切込みを作る。試料を、１．５"離して設置したジョーに掴ませ、０．５”／分の伸び率でＩｎｓｔｒｏｎ引張り試験機において引張り変形に供する。引裂強さ（ｌｂｓ）は、試料を破断させるのに必要なエネルギー（ｌｂ−ｉｎ）をその厚さ（ｉｎ）で割ったものとして報告される。ノッチ付きストリップ引裂試験（ＮＴＴＳ）は、試験の経過中に変形ゾーンを直接観察することができるという付加的な利点を有する。
【００５４】
【表２】
0004290328.tif 000003
【００５５】
実施例３−エチレン／５−アルキルノルボルネン−２コポリマーの製造
触媒の活性化
活性化触媒を、実施例１のとおりに調製し、「ＥＸ−３７０」として以下の表３に報告した３種の重合の実施において使用した。
【００５６】
第二の活性化触媒を、触媒製造に用いた遷移金属化合物がジメチルシリルビス（インデニル）ジルコニウムジクロリドであったことを除き、同じモル量の触媒成分を用いて、実施例１におけるように調製した。この触媒を、「Ｚｒ−ＳＳ」として以下の「表３に報告した３種の重合の実施において使用した。
【００５７】
リアクター条件
共重合を、ノルボルネン−２の代わりに５−メチルノルボルネン−２、又は５−エチルノルボルネン−２又は５−ヘキシルノルボルネン−２をコモノマーとして以下の表３に報告した量及び条件下で用いたことを除き、実施例１におけるようにして行った。
【００５８】
【表３】
0004290328.tif 000004
【００５９】
実施例４−Ｅ／ＮＢコポリマーフィルムの製造及び特性
実施Ｂ１２〜Ｂ１７として前記の表３に報告したＥ／ＮＢ−Ｒコポリマー樹脂のフィルムを、実施例２と同様の方法でフィルムに調製し、同様の方法で試験した。以下の表４は、Ｅ／ＮＢ−Ｒコポリマーフィルムの特性について報告する。
【００６０】
【表４】
0004290328.tif 000005
【００６１】
参考例５−エチレン／ノルボルネン／ヘキセンターポリマーの製造
触媒の活性化
活性化触媒を、実施例１におけるように調製した。
【００６２】
リアクター条件
反応を、エチレンの導入前にリアクター中のノルボルネン溶液にある量のヘキセン−１も添加したことを除き、実施例１におけるようにして行った。
【００６３】
以下の表５は、各実施の条件を報告する。
【００６４】
【表５】
0004290328.tif 000006
【００６５】
参考例６−Ｅ／ＮＢ／Ｏターポリマーフィルムの製造及び特性
実施Ｂ１８及びＢ１９として前記の表５に報告したＥ／ＮＢ／Ｏターポリマー樹脂のフィルムを、実施例２と同様の方法でフィルムに調製し、同様の方法で試験した。以下の表６は、Ｅ／ＮＢ／Ｏターポリマーフィルムの特性について報告する。
【００６６】
【表６】
0004290328.tif 000007
【００６７】
実施例７−エチレン／ノルボルネン／ヘキセンターポリマーの製造
触媒の活性化
活性化触媒を、実施例１におけるように調製した。
【００６８】
リアクター条件
この実施例においては、気相重合反応を用いた。連続的に作動させた流動床の気相リアクター（内径１６．２５ｉｎ（４１．２７ｃｍ））を、記載したように調製した活性化支持触媒とともに用いた。この手順においては、ノルボルネンをヘキセンコモノマー中に溶解させ、この溶液を、定常的な状態が達成されるまで以下の表７に示した量及び条件下で低圧気相リアクターに供給した。リアクター中へのノルボルネン／ヘキセン溶液の注入は、この溶液を蒸発させるのに役立った。すべての実施についての定常状態で、反応温度は７５〜８０℃に維持し、反応圧力は３００ｐｓｉに維持した。以下の表７に報告したポリマー特性は、定常状態の作動が達成された後に回収されたポリマー組成物についてのものである。
【００６９】
【表７】
0004290328.tif 000008
【００７０】
実施例８−Ｅ／ＮＢ／Ｏターポリマーフィルムの製造及び特性
実施Ｂ２１及びＢ２５として前記の表７に報告したＥ／ＮＢ／Ｏターポリマー樹脂のフィルムを、実施例２と同様の方法でフィルムに調製し、同様の方法で試験した。以下の表８は、Ｅ／ＮＢ／Ｏターポリマーフィルムの特性について報告する。
【００７１】
【表８】
0004290328.tif 000009
【００７２】
参考例９−エチレン／ノルボルネン／ヘキセンターポリマーの製造
触媒の活性化
活性化触媒を、実施例１におけるように調製した。
【００７３】
リアクター条件
３種のＥ／ＮＢ／Ｏターポリマー樹脂を実施例７におけるように調製した。以下の表９は、各実施の条件を報告する。
【００７４】
【表９】
0004290328.tif 000010
【００７５】
参考例１０−Ｅ／ＮＢ／Ｏターポリマー成形品の製造及び特性
そのＮＢ含量、ＭＩ、及びＤＳＣデータに基づいて、異なるバッチの試料を一緒にし、標準的な添加剤のパッケージ（Ｉｒｇａｎｏｘ １５００ｐｐｍ＋Ｗｅｓｔｏｎ １５００ｐｐｍ）とブレンドした。これらのブレンドを、１５０℃で圧縮下で成形し、周囲温度で４８時間平衡化した後に試験検体を切り出した。屈曲モジュラス（ｆｌｅｘ ｍｏｄｕｌｕｓ）を、ＡＳＴＭ ７４９法にしたがって測定した。結果を表１０に報告する。
【００７６】
【表１０】
0004290328.tif 000011
【００７７】
本発明をその好ましい態様を参照して記載してきたが、この開示を読んで、当業者は、上述の又は請求の範囲に記載した本発明の精神及び範囲を逸脱することなく適切な変更及び改変をし得ることを認めることができる。
【図面の簡単な説明】
【図１】  本明細書の実施例によって記載されたフィルムの引裂試験について用いた試料の形状を説明する。
【図１】
0004290328.tif 000012